(57)【要約】【課題】簡易な構成で平面視と立体視を切り替えることができる立体視用メガネを提供する。【解決手段】表示装置８０に表示された右目用画像と左目用画像を右目と左目に分けて透過させる立体視状態と右目用画像又は左目用画像の何れか一方を右目と左目に透過させる平面視状態に切り替え可能な一対のレンズ８８Ｌ、８８Ｒを備える。【選択図】図６
2011209659.tif 000002
【特許請求の範囲】
【請求項１】
表示手段に表示された右目用画像と左目用画像を右目と左目に分けて透過させる立体視状態と右目用画像又は左目用画像の何れか一方を右目と左目に透過させる平面視状態に切り替え可能な一対のレンズを備えた立体視用メガネ。
【請求項２】
前記立体視状態又は前記平面視状態への切り替え指示を受け付ける受付手段と、
前記受付手段により受け付けた指示に従い前記立体視状態又は前記平面視状態となるように前記一対のレンズを制御する制御手段と、
をさらに備えた請求項１記載の立体視用メガネ。
【請求項３】
前記右目用画像と左目用画像は、時分割で交互に前記表示手段に表示された画像であり、
前記一対のレンズは、シャッタが内蔵され、前記立体視状態の場合、前記表示手段への右目用画像と左目用画像の表示に同期してシャッタが交互に開閉して右目用画像と左目用画像を右目と左目に分けて透過させ、前記平面視状態の場合、シャッタが同様に開閉して右目用画像又は左目用画像の何れか一方を右目及び左目に透過させる
請求項１又は請求項２記載の立体視用メガネ。
【請求項４】
前記右目用画像と左目用画像は、互いに偏光方向が直交する光により前記表示手段に表示された画像であり、
前記一対のレンズは、透過させる光の偏光方向が変更可能とされ、前記立体視状態の場合、透過させる光の偏光方向を互いに直交させて右目用画像と左目用画像を右目と左目に分けて透過させ、前記平面視状態の場合、透過させる光の偏光方向を一致させて右目用画像又は左目用画像の何れか一方を右目及び左目に透過させる
請求項１又は請求項２記載の立体視用メガネ。
【請求項５】
前記一対のレンズは、少なくとも一方を回転可能に保持された一対の偏光レンズとされ、少なくとも一方の偏光レンズを回転させることにより透過させる光の偏光方向を互いに直交、又は一致させる
請求項４記載の立体視用メガネ。
【発明の詳細な説明】
【技術分野】
【０００１】
本発明は、立体視用メガネに係り、特に立体視を行う際に右目用画像と左目用画像を右目と左目に分けて透過させる立体視用メガネに関する。
【背景技術】
【０００２】
近年、右目と左目で個別に画像を視認させて立体視を行う表示装置が各種提案されている。例えば、表示装置に右目用と左目用の画像を時分割で交互に表示し、ユーザが画像を時分割に対応して左右のレンズが交互に開閉するメガネをかけて表示装置を見るシャッタ方式（フレームシーケンシャル方式）や、表示装置に互いに直交する偏光光で右目用と左目用の画像を表示し、ユーザが左右のレンズで透過する偏光軸の方向が互いに直交する偏光メガネをかけて表示装置を見る偏光方式がある。
【０００３】
このような、立体視が可能な表示装置において、表示された画像を３次元画像として立体視する立体視状態と、表示された画像を２次元画像として平面視する平面視状態に切り替えを可能とする技術として、特許文献１には、偏光メガネに位相変調器を設け、３次元画像を観察する場合には何もせず、平面視で観察する場合には、位相変調器を左右一方ずつ駆動させて、両眼に左右の画像を入力させる技術が提案されている。
【０００４】
また、特許文献２には、シャッタ方式において、立体視で表示する場合、表示装置で右目用と左目用の画像を時分割で交互に表示し、平面視で表示する場合、表示装置で右目用又は左目用の画像のみを表示する技術が提案されている。
【０００５】
さらに、特許文献３には、画像表示装置を観察位置の方向毎に異なる画像を表示可能に構成して、複数の観察者が各自の目的に合わせて異なる平面視又は立体視を選択して観察できるようにする技術が提案されている。
【先行技術文献】
【特許文献】
【０００６】
【特許文献１】特開平１０−２３９６４１号公報
【特許文献２】特開２０００−１３４６４２号公報
【特許文献３】特開平１１−２０５８２２号公報
【発明の概要】
【発明が解決しようとする課題】
【０００７】
しかしながら、特許文献１に記載の技術は、偏光メガネに位相変調器を設ける必要があり、位相変調器を設けたことにより視認される画像の画質が低下し、右目用と左目用の画像の表示に同期して左右のレンズの偏光を制御する必要があるため、制御が煩雑となる。
【０００８】
また、特許文献２に記載の技術は、表示装置側で平面視と立体視の切り替を行うため、複数のユーザで表示装置を観察する場合に全ユーザが２次元画像と３次元画像を切り替わってしまう。
【０００９】
さらに、特許文献３に記載の技術は、複数のユーザで表示装置を観察する場合に、各ユーザ毎に平面視と立体視を切り替えられるものの、表示装置の構成が複雑となり、また、ユーザが位置を移動した場合に観察方向によって平面視と立体視が切り替わってしまう場合がある。
【００１０】
本発明は上記事実に鑑みてなされたものであり、簡易な構成でユーザ毎に平面視と立体視を切り替えることができる立体視用メガネを提供することを目的とする。
【課題を解決するための手段】
【００１１】
上記目的を達成するために、請求項１に記載の発明の立体視用メガネは、表示手段に表示された右目用画像と左目用画像を右目と左目に分けて透過させる立体視状態と右目用画像又は左目用画像の何れか一方を右目と左目に透過させる平面視状態に切り替え可能な一対のレンズを備えている。
【００１２】
請求項１に記載の発明によれば、一対のレンズが、表示手段に表示された右目用画像と左目用画像を右目と左目に分けて透過させる立体視状態と右目用画像又は左目用画像の何れか一方を右目と左目に透過させる平面視状態に切り替え可能とされている。これにより、立体視を行う場合は右目用画像と左目用画像を右目と左目に分けて透過させ、平面視を行う場合は右目用画像と左目用画像の何れか一方を右目と左目に透過させるという簡易な構成でユーザ毎に平面視と立体視を切り替えることができる。
【００１３】
なお、請求項１記載の発明は、請求項２に記載の発明のように、前記立体視状態又は前記平面視状態への切り替え指示を受け付ける受付手段と、前記受付手段により受け付けた指示に従い前記立体視状態又は前記平面視状態となるように前記一対のレンズを制御する制御手段と、をさらに備えてもよい。
【００１４】
また、請求項１又は請求項２記載の発明は、請求項３に記載の発明のように、前記右目用画像と左目用画像が、時分割で交互に前記表示手段に表示された画像であり、前記一対のレンズが、シャッタが内蔵され、前記立体視状態の場合、前記表示手段への右目用画像と左目用画像の表示に同期してシャッタが交互に開閉して右目用画像と左目用画像を右目と左目に分けて透過させ、前記平面視状態の場合、シャッタが同様に開閉して右目用画像又は左目用画像の何れか一方を右目及び左目に透過させてもよい。
【００１５】
また、請求項１又は請求項２記載の発明は、請求項４に記載の発明のように、前記右目用画像と左目用画像が、互いに偏光方向が直交する光により前記表示手段に表示された画像であり、前記一対のレンズが、透過させる光の偏光方向が変更可能とされ、前記立体視状態の場合、透過させる光の偏光方向を互いに直交させて右目用画像と左目用画像を右目と左目に分けて透過させ、前記平面視状態の場合、透過させる光の偏光方向を一致させて右目用画像又は左目用画像の何れか一方を右目及び左目に透過させてもよい。
【００１６】
さらに、請求項４記載の発明は、請求項５に記載の発明のように、前記一対のレンズが、少なくとも一方を回転可能に保持された一対の偏光レンズとされ、少なくとも一方の偏光レンズを回転させることにより透過させる光の偏光方向を互いに直交、又は一致させてもよい。
【発明の効果】
【００１７】
本発明によれば、簡易な構成で平面視と立体視を切り替えることができる、という効果が得られる。
【図面の簡単な説明】
【００１８】
【図１】実施の形態に係る撮像装置の構成を示す平面図である。
【図２】実施の形態に係る撮像装置のＣＣ撮影時における構成を示す斜視図である。
【図３】実施の形態に係る撮像装置のＭＬＯ撮影時における構成を示す斜視図である。
【図４】実施の形態に係る撮影台の概略構成を示す構成図である。
【図５】実施の形態に係る放射線撮影システムの構成を示すブロック図である。
【図６】第１の実施の形態に係る表示装置の構成を示す斜視図である。
【図７】第１の実施の形態に係るメガネの構成を示すブロック図である。
【図８】実施の形態に係る撮影時の放射線照射部と撮影台の位置関係を示す図である。
【図９】第２の実施の形態に係る表示装置の構成を示す斜視図である。
【図１０】第２の実施の形態に係る表示装置の画像を立体視する場合を示す図である。
【図１１】第２の実施の形態に係るメガネの構成を示すブロック図である。
【図１２】他の実施の形態に係るメガネの構成を示す図である。
【発明を実施するための形態】
【００１９】
以下、図面を参照して本発明を乳房のステレオ撮影を行い、撮影した放射線画像のステレオ表示を行なう放射線撮影システムに適用した場合について説明する。
【００２０】
最初に、図１〜図３を参照して放射線画像を撮影する放射線撮影装置１０について説明する。
【００２１】
本実施の形態に係る放射線撮影装置１０は、被験者が立った立位状態において、その被験者Ｗの乳房Ｎを放射線（例えば、Ｘ線）により撮影する装置であり、例えば、マンモグラフィと称される。なお、以下では、撮影の際に放射線撮影装置１０に被験者Ｗが対面した場合の被験者Ｗに近い手前側を放射線撮影装置１０の装置前方側とし、放射線撮影装置１０に被験者Ｗが対面した場合の被験者Ｗから離れた奥側を放射線撮影装置１０の装置後方側とし、放射線撮影装置１０に被験者Ｗが対面した場合の被験者Ｗの左右方向を放射線撮影装置１０の装置左右方向として説明する（図２の矢印参照）。
【００２２】
放射線撮影装置１０は、図１に示すように、装置前方側に設けられた側面視略Ｃ字状（コの字状）の測定部１２と、測定部１２を装置後方側から支える基台部１４と、を備えている。
【００２３】
測定部１２は、図１及び図２に示すように、立位状態にある被験者Ｗの乳房Ｎに当接する平面状の撮影面２０が形成された撮影台２２と、乳房Ｎを撮影面２０に押し付ける圧迫板２６と、撮影台２２と圧迫板２６とを保持する保持部２８と、を備えている。
【００２４】
また、測定部１２は、管球などの放射線源３０（図５参照。）が設けられその放射線源３０から撮影面２０に向けて放射線を照射する放射線照射部２４と、保持部２８とは分離され放射線照射部２４を支持する支持部２９とを備えている。
【００２５】
測定部１２には、基台部１４に回動可能に支えられている回動軸１６が設けられている。回動軸１６は、支持部２９に対して固定されており、回動軸１６と支持部２９は一体に回動するようになっている。
【００２６】
保持部２８に対しては、回動軸１６が連結されて一体に回動する状態と、回動軸１６が分離されて空転する状態とに切り替え可能とされている。具体的には、回動軸１６及び保持部２８にそれぞれギアが設けられ、このギア同士の噛合状態・非噛合状態を切替えるようになっている。
【００２７】
なお、回動軸１６の回動力の伝達・非伝達の切替えは、種々の機械要素を用いることができる。
【００２８】
保持部２８は、撮影面２０と放射線照射部２４とが所定間隔離れるように撮影台２２と放射線照射部２４とを保持するとともに、圧迫板２６と撮影面２０との間隔が可変であるように圧迫板２６をスライド移動可能に保持している。
【００２９】
本実施形態に係る放射線撮影装置１０は、少なくとも、乳房ＮをＣＣ撮影（頭尾方向の撮影）とＭＬＯ撮影（内外斜位方向の撮影）との両者を行うことができる装置とされている。図１及び図２は、ＣＣ撮影時における放射線撮影装置１０の姿勢を示し、図３は、撮影装置のＭＬＯ撮影時における放射線撮影装置１０の姿勢を示している。
【００３０】
図１に示すように、ＣＣ撮影時においては、撮影面２０が上方を向いた状態に保持部２８の姿勢が調整されると共に、放射線照射部２４が撮影面２０に対して上方に位置する状態に支持部２９の姿勢が調整される。これにより、立位状態の被験者Ｗの頭側から足側に向かって、放射線照射部２４から乳房Ｎへ放射線が照射されて、ＣＣ撮影（頭尾方向の撮影）がなされる。
【００３１】
また、ＭＬＯ撮影時では、図３に示すように、一般的に、ＣＣ撮影時に比べて撮影台２２を４５°以上９０°未満回転させた状態に保持部２８の姿勢が調整され、撮影台２２の装置前方側の側壁角部２２Ａに被験者Ｗの腋窩を当てるようにポジショニングされる。これにより、被験者Ｗの胴体の軸中心側から外側へ向かって、放射線照射部２４から乳房Ｎへ放射線が照射されて、ＭＬＯ撮影（内外斜位方向の撮影）がなされる。
【００３２】
放射線撮影装置１０では、図２、図３に示すように、ステレオ撮影を行う場合、保持部２８に対して回動軸１６が空転して撮影台２２と圧迫板２６が動かず、支持部２９が回動することにより放射線照射部２４のみが円弧状に移動する。
【００３３】
このように、放射線照射部２４のみを回動させることにより、撮影面２０に対して様々な角度に放射線照射部２４を位置させることが可能となり、撮影面２０に対して正対する正面方向を含む様々な方向から放射線を照射することができる。
【００３４】
図４には、本実施の形態に係る撮影台２２の概略構成が示されている。
【００３５】
同図に示すように、撮影台２２は、撮影の際に乳房Ｎが配置される撮影面２０が形成された天板２３と、天板２３と対向するようにセンサ面４２Ａが配置され、当該センサ面４２Ａで受像された放射線を直接デジタルデータに変換するＦＰＤ（Flat Panel Detector）等の放射線検出器４２と、センサ面４２Ａの天板２３側に配置され、放射線が乳房Ｎを透過した際に発生する当該放射線の散乱成分を除去するグリッド４０と、センサ面４２Ａと並んだ平面内でグリッド４０を往復移動させる移動機構４３と、を備えている。
【００３６】
グリッド４０は、放射線の吸収率が大きい吸収部（所謂はく）と放射線の吸収率が小さい透過部とが所定のピッチで交互に設けられており、乳房Ｎ内で散乱してグリッド４０に斜めに入射した放射線を吸収部で吸収することにより散乱線を除去する。
【００３７】
放射線照射部２４から放射された放射線は、乳房Ｎを透過しさらにグリッド４０を透過して放射線検出器４２に到達する。放射線検出器４２は、センサ面４２Ａに放射線に対して感度を有する複数のセンサ部が２次元状に設けられ、当該センサ面４２Ａで受像された放射線画像を撮像する。
【００３８】
移動機構４３は、モータが内蔵されており、モータの駆動力によりグリッド４０をセンサ面４２Ａに対して水平方向に往復移動させものとされており、また、グリッド４０を往復移動させる周期を変更させることが可能とされている。なお、グリッド４０を往復移動させる駆動源としては、圧電素子等の他の駆動手段を用いてもよい。
【００３９】
図５には、本実施の形態に係る放射線撮影システム５の詳細な構成を示すブロック図が示されている。
【００４０】
放射線撮影システム５は、上述した放射線撮影装置１０と、ステレオ撮影した放射線画像に対して所定の画像処理を行う画像処理装置５０と、画像処理された放射線画像を立体視可能に表示するための表示装置８０と、を備えている。
【００４１】
放射線撮影装置１０は、曝射条件、姿勢情報などの各種の操作情報や各種の操作指示が入力される操作パネル４４と、装置全体の動作を制御する撮像装置制御部４６と、ＬＡＮ等のネットワーク５６に接続され、当該ネットワーク５６に接続された他の機器との間で各種情報を送受信する通信Ｉ／Ｆ部４８と、さらにを備えている。
【００４２】
撮像装置制御部４６は、ＣＰＵ、ＲＯＭ及びＲＡＭを含むメモリ、ＨＤＤやフラッシュメモリ等から成る不揮発性の記憶部を備えている。撮像装置制御部４６は、放射線照射部２４、放射線検出器４２、移動機構４３、操作パネル４４、及び通信Ｉ／Ｆ部４８と接続されている。従って、撮像装置制御部４６は、放射線照射部２４からの放射線の放射の制御と、放射線検出器４２の撮影動作の制御と、移動機構４３を介したグリッド４０の往復移動の動作の制御と、通信Ｉ／Ｆ部４８を介した他の機器との各種情報を送受信の制御を各々行える。また、撮像装置制御部４６は、操作パネル４４に対して入力された操作指示の把握することができる。
【００４３】
操作パネル４４で指定される曝射条件には、管電圧、管電流、照射時間等の情報が含まれており、姿勢情報には、撮影姿勢がＣＣ撮影かＭＬＯ撮影かを表す情報が含まれている。なお、この曝射条件、姿勢情報などの各種の操作情報や各種の操作指示は、他の制御装置から得るようにしてもよい。
【００４４】
一方、画像処理装置５０は、サーバ・コンピュータとして構成されており、操作メニューや各種情報等を表示するディスプレイ５２と、複数のキーを含んで構成され、各種情報や操作指示が入力される操作入力部５４と、を備えている。
【００４５】
また、画像処理装置５０は、装置全体の動作を司るＣＰＵ６０と、制御プログラムを含む各種プログラム等が予め記憶されたＲＯＭ６２と、各種データを一時的に記憶するＲＡＭ６４と、各種データを記憶して保持するＨＤＤ６６と、ディスプレイ５２への各種情報の表示を制御するディスプレイドライバ６８と、操作入力部５４に対する操作状態を検出する操作入力検出部７０と、ネットワーク５６を介して放射線撮影装置１０に接続され、放射線撮影装置１０との間で各種情報の送受信を行う通信Ｉ／Ｆ部７２と、ディスプレイケーブル５８を介して表示装置８０に対して画像信号を出力する画像信号出力部７４と、を備えている。
【００４６】
ＣＰＵ６０、ＲＯＭ６２、ＲＡＭ６４、ＨＤＤ６６、ディスプレイドライバ６８、操作入力検出部７０、通信Ｉ／Ｆ部７２、及び画像信号出力部７４は、システムバスＢＵＳを介して相互に接続されている。従って、ＣＰＵ６０は、ＲＯＭ６２、ＲＡＭ６４、ＨＤＤ６６へのアクセスを行うことができる。また、ＣＰＵ６０は、ディスプレイドライバ６８を介したディスプレイ５２への各種情報の表示の制御、通信Ｉ／Ｆ部７２を介した放射線撮影装置１０との各種情報の送受信の制御、及び画像信号出力部７４を介した表示装置８０に表示される画像の制御、を行うことができる。さらに、ＣＰＵ６０は、操作入力検出部７０を介して操作入力部５４に対するユーザの操作状態を把握することができる。
【００４７】
図６には、本実施の形態に係る表示装置８０の構成の一例が示されている。
【００４８】
同図に示すように、表示装置８０は、シャッタ方式で表示を行うものとされており、右目用と左目用の画像を時分割で交互に表示する表示部８２と、赤外線等により時分割で右目用と左目用の画像を表示する同期タイミングをメガネ８５へ送信するための送信部８６が設けられている。
【００４９】
メガネ８５は、各々液晶シャッタが内蔵された一対のレンズ８８Ｌ、８８Ｒを備えており、送信部８６から送信される同期タイミングに同期して左右のレンズ８８Ｌ、８８Ｒの液晶シャッタが交互に開閉する。ユーザは、メガネ８５をかけて表示部８２を見ることにより、表示部８２に表示される画像を３次元画像として立体視することができる。
【００５０】
また、本実施の形態に係るメガネ８５には、表示装置８０に表示される画像を３次元画像として立体視する立体視状態を指定するボタン８９Ａと、表示装置８０に表示される画像を２次元画像として平面視する平面視状態を指定するボタン８９Ｂが設けられ、立体視状態又は平面視状態に切り替える切替操作を受け付ける切替操作部８９が設けられている。
【００５１】
図７には、本実施の形態に係るメガネ８５の概略構成を示すブロック図が示されている。
【００５２】
メガネ８５は、送信部８６から送信される同期タイミングを受信する受信部９０と、レンズ８８Ｌ、８８Ｒの液晶シャッタの切り替え制御を行う制御部９２と、を備えている。
【００５３】
制御部９２には、切替操作部８９が接続されており、切替操作部８９に対して立体視状態とする切り替える切替操作が行われた場合、受信部９０により受信される同期タイミングに同期してレンズ８８Ｌ、８８Ｒの液晶シャッタを交互に開閉し、切替操作部８９に対して平面視状態とする切り替える切替操作が行われた場合、受信部９０により受信される同期タイミングに同期してレンズ８８Ｌ、８８Ｒの液晶シャッタを同時に開閉する。
【００５４】
次に、本実施の形態に係る放射線撮影システム５の作用について説明する。
【００５５】
放射線画像のステレオ撮影を行なう場合、放射線撮影装置１０は、操作パネル４４に対して曝射条件や姿勢情報が入力される。
【００５６】
放射線撮影装置１０は、姿勢情報で指定された撮影姿勢がＣＣ撮影の場合、図２に示すように、撮影面２０が上方を向いた状態に保持部２８の姿勢を調整すると共に放射線照射部２４が撮影面２０に対して上方に位置する状態に支持部２９の姿勢を調整し、姿勢情報で指定された撮影姿勢がＭＬＯ撮影の場合、図３に示すように、撮影台２２を４５°以上９０°未満回転させた状態に保持部２８の姿勢を調整すると共に放射線照射部２４が撮影面２０に対して上方に位置する状態に支持部２９の姿勢を調整する。
【００５７】
放射線撮影装置１０では、各被験者Ｗの左右の乳房Ｎに対して個別にステレオ撮影を行う。
【００５８】
被験者Ｗは、撮影を行う際、放射線撮影装置１０の撮影面２０に左右何れか一方の乳房Ｎを当接させる。放射線撮影装置１０は、この状態で操作パネル４４に対して圧迫開始の操作指示が行なわれると、圧迫板２６が撮影面２０に向けて移動する。圧迫板２６が乳房Ｎに当接して更に押圧し、圧迫板２６の押圧力が設定押圧力に到達すると、撮像装置制御部４６の制御により圧迫板２６の移動が停止する。
【００５９】
本実施形態に係る放射線撮影装置１０は、この状態で操作パネル４４に対して曝射開始の操作指示が行なわれると、図２及び図３に示すように、支持部２９のみを回動させて放射線照射部２４を円弧状に移動させて、図８に示すように、撮影面２０に対して所定のなす角θ（例えば、１０°）で放射線照射部２４の放射線源３０から放射線を個別に照射する。このなす角θは、固定値としてもよく、また、例えば、撮影対象部位や観察する病変部、撮影対象部位の厚さなど応じて変更するようにしてもよい。放射線照射部２４から個別に照射された放射線は、それぞれ乳房Ｎを透過した後に放射線検出器４２に到達する。
【００６０】
放射線検出器４２は、放射線が照射されると、照射された放射線画像を示す画像情報をそれぞれ撮像装置制御部４６へ出力する。
【００６１】
撮像装置制御部４６は、撮影された２つの放射線画像を示す画像情報や放射線画像を撮影する際の曝射条件を関連付けて通信により画像処理装置５０へ送信する。
【００６２】
画像処理装置５０は、画像情報や曝射条件を通信Ｉ／Ｆ部７２で受信することにより、撮影された２つの放射線画像を示す画像情報をそれぞれ取得する。画像処理装置５０は、受信した各画像情報に対してシェーディング補正などの各種の画像補正処理を行ない、補正後の２つの放射線画像を曝射条件等と関連付けて１回の撮影で得られた撮影情報としてＨＤＤ６６に記憶する。
【００６３】
画像処理装置５０は、ＨＤＤ６６に記憶された撮影情報に基づいて乳房Ｎの放射線画像を立体視可能に表示させることが可能とされている。画像処理装置５０は、操作入力部５４に対して画像表示開始の所定の操作指示が行なわれると、撮影された２つの放射線画像の一方を右目用の画像とし、他方を左目用の画像として、時分割で交互に表示部８２に表示する。この表示の際に、送信部８６は、赤外線等により右目用と左目用の画像を表示する同期タイミングを送信する。
【００６４】
ユーザは、メガネ８５をかけて表示装置８０の表示部８２を見る。この際、メガネ８５は、切替操作部８９で立体視状態とする切り替える切替操作が行われた場合、受信部９０により受信される同期タイミングに同期してレンズ８８Ｌ、８８Ｒの液晶シャッタを交互に開閉し、切替操作部８９で平面視状態とする切り替える切替操作が行われた場合、受信部９０により受信される同期タイミングに同期してレンズ８８Ｌ、８８Ｒの液晶シャッタを同時に開閉する。
【００６５】
これにより、ユーザは、切替操作部８９を立体視状態とした場合、所定のなす角θで撮影された２つの放射線画像を右目と左目で別々に視認することにより、３次元画像を見ることができ、切替操作部８９を平面視状態とした場合、２つの放射線画像の何れか一方を右目と左目で共に視認することにより、２次元画像を見ることができる。
【００６６】
このようにメガネ８５において見える画像を３次元画像と２次元画像に切り替え可能としたことにより、メガネ８５側のみで平面視と立体視を切り替えることができる。これにより、複数のユーザで表示部８２を観察する場合に、各ユーザ毎に２次元画像と３次元画像を切り替えることもできる。
【００６７】
以上のように、本実施の形態によれば、メガネ８５で表示装置８０に表示された右目用画像と左目用画像を右目と左目に分けて透過させる立体視状態と右目用画像又は左目用画像の何れか一方を右目と左目に透過させる平面視状態に切り替えることができるため、表示装置８０を変更することなく、メガネ８５側のみの簡易な構成でユーザ毎に平面視と立体視を切り替えることができる。
【００６８】
［第２の実施の形態］
次に、第２の実施の形態について説明する。
【００６９】
第２の実施の形態に係る放射線撮影装置１０、放射線撮影システム５の構成は、上記第１の実施の形態（図１〜５参照）と同一であるので、ここでの説明は省略する。
【００７０】
図９には、本実施の形態に係る表示装置８０の構成の一例が示されている。
【００７１】
同図に示すように、表示装置８０は、２つの表示部８２Ａ、８２Ｂが上下に並んで配置されており、上側に表示部８２Ｂが前方に傾斜させて固定されている。２つの表示部８２Ａ、８２Ｂは、表示光の偏光方向が直交している（例えば、表示部８２Ａの表示光が垂直偏光、表示部８２Ｂの表示光が水平偏光）。この表示部８２Ａ、８２Ｂの間には、表示部８２Ａからの表示光を透過し、表示部８２Ｂからの表示光を反射するビームスプリッターミラー８４が設けられている。ビームスプリッターミラー８４は、医師などの読影者が正面から表示装置８０を見た際に、表示部８２Ａに表示される画像と表示部８２Ｂに表示される画像が重なるように角度が調整されて固定されている。
【００７２】
図１０に示すように、メガネ８５は、一対のレンズ８８Ｌ、８８Ｒを備えている。一方（本実施の形態では、右目側）のレンズ８８Ｒは、表示部８２Ａの表示光が透過し、表示部８２Ｂの表示光が透過しない偏光レンズとされており、他方のレンズ８８Ｌは、光変調素子が内蔵され、表示部８２Ａの表示光又は表示部８２Ｂの表示光を選択的に透過させることが可能とされている。
【００７３】
また、本実施の形態に係るメガネ８５には、立体視状態又は平面視状態に切り替える切替操作を受け付ける切替操作部８９が設けられている。
【００７４】
図１１には、本実施の形態に係るメガネ８５の概略構成を示すブロック図が示されている。
【００７５】
メガネ８５は、レンズ８８Ｌで透過させる光の偏光方向の切り替え制御を行う制御部９２と、を備えている。
【００７６】
制御部９２には、切替操作部８９が接続されており、切替操作部８９に対して立体視状態とする切り替える切替操作が行われた場合、レンズ８８Ｌで表示部８２Ｂの表示光を透過させ、切替操作部８９に対して平面視状態とする切り替える切替操作が行われた場合、レンズ８８Ｌで表示部８２Ａの表示光を透過させる。
【００７７】
次に、本実施の形態に係る放射線撮影システム５の作用について説明する。
【００７８】
画像処理装置５０は、操作入力部５４に対して画像表示開始の所定の操作指示が行なわれると、撮影された２つの放射線画像の一方を右目用の画像として表示部８２Ａに表示し、他方を左目用の画像として表示部８２Ｂに表示する。
【００７９】
ユーザは、メガネ８５をかけて表示装置８０の表示部８２Ａ、８２Ｂを見る。この際、メガネ８５は、切替操作部８９で立体視状態とする切り替える切替操作が行われた場合、レンズ８８Ｌで表示部８２Ｂの表示光が透過する共にレンズ８８Ｒで表示部８２Ａの表示光が透過し、切替操作部８９で平面視状態とする切り替える切替操作が行われた場合、レンズ８８Ｌ、８８Ｒで共に表示部８２Ａの表示光が透過する。
【００８０】
これにより、ユーザは、切替操作部８９を立体視状態とした場合、所定のなす角θで撮影された２つの放射線画像を右目と左目で別々に視認することにより、３次元画像を見ることができ、切替操作部８９を平面視状態とした場合、２つの放射線画像の何れか一方を右目と左目で共に視認することにより、２次元画像を見ることができる。
【００８１】
このようにメガネ８５で見える画像を３次元画像と２次元画像に切り替え可能としたことにより、簡易な構成で２次元画像と３次元画像を切り替えられることができ、また、複数のユーザで表示部８２を観察する場合に、各ユーザ毎に２次元画像と３次元画像を切り替えることができる。
【００８２】
以上のように、本実施の形態によれば、メガネ８５で表示装置８０に表示された右目用画像と左目用画像を右目と左目に分けて透過させる立体視状態と右目用画像又は左目用画像の何れか一方を右目と左目に透過させる平面視状態に切り替えることができるため、表示装置８０を変更することなく、メガネ８５側のみの簡易な構成でユーザ毎に平面視と立体視を切り替えることができる。
【００８３】
なお、上記各実施の形態では、マンモグラフィにより撮影された放射線画像に適用した場合について説明したが、本発明はこれに限定されるものではない。例えば、３Ｄテレビ等に適用してもよい。
【００８４】
また、上記第２の実施の形態では、レンズ８８Ｌに光変調素子を内蔵させて、表示部８２Ａの表示光又は表示部８２Ｂの表示光を選択的に透過させる場合について説明したが、本発明はこれに限定されるものではない。例えば、図１２（Ａ）（Ｂ）に示すようにレンズ８８Ｌ、８８Ｒを共に偏光レンズとし、一方の偏光レンズ（図１２では、レンズ８８Ｌ）を回転させることによりレンズ８８Ｌ、８８Ｒの透過させる光の偏光方向を互いに直交、又は一致させるようにしてもよい。レンズの回転は、ユーザが手動で行ってもよく、駆動機構を用いてもよい。また、レンズ８８Ｌ、８８Ｒに共に光変調素子を内蔵させて、立体視状態と平面視状態に切り替えを行うようにしてもよい。
【００８５】
その他、上記各実施の形態で説明した放射線撮影システム５、放射線撮影装置１０、画像処理装置５０、及び表示装置８０の構成は一例であり、本発明の主旨を逸脱しない範囲内において状況に応じて変更可能であることは言うまでもない。
【符号の説明】
【００８６】
８０  表示装置（表示手段）
８８Ｌ、８８Ｒ  レンズ
８９  切替操作部（受付手段）
９２  制御部（制御手段）
【図１】
2011209659.tif 000003
【図２】
2011209659.tif 000004
【図３】
2011209659.tif 000005
【図４】
2011209659.tif 000006
【図５】
2011209659.tif 000007
【図６】
2011209659.tif 000008
【図７】
2011209659.tif 000009
【図８】
2011209659.tif 000010
【図１０】
2011209659.tif 000011
【図１１】
2011209659.tif 000012
【図１２】
2011209659.tif 000013
【図９】
2011209659.tif 000014